(57)【特許請求の範囲】
【請求項１】
水源から常時給水される監視槽に放たれた小型魚類の状態を監視して水質を判断するバイオアッセイ用水槽システムにおいて、
給水吐出によって槽内に一方向、逆方向の渦流を生じさせる第一、第二の切換入水口が対向する二側面の一方側に設けられ、出水口が前記二側面の他方側に設けられ、底面が前記二側面の一方側から他方側に向けて下方に傾斜している監視槽と、
前記第一、第二の切換入水口から選択的に給水吐出させることで前記渦流を定期的に反転させる渦流制御手段と、
排水口が設けられ前記出水口に接続された汚物槽とを備えることを特徴とするバイオアッセイ用水槽システム。
【請求項２】
請求項１に記載のバイオアッセイ用水槽システムにおいて、
前記監視槽の底面の中央部に、円錐状の渦流安定柱が立設されていることを特徴とするバイオアッセイ用水槽システム。
【請求項３】
請求項１又は２に記載のバイオアッセイ用水槽システムにおいて、
前記監視槽に給水する前の水から異物を沈澱除去させる沈殿槽を更に備え、
前記渦流制御手段は、前記沈殿槽と前記監視槽との間の導水路に介装されていることを特徴とするバイオアッセイ用水槽システム。
【請求項４】
請求項３に記載のバイオアッセイ用水槽システムにおいて、
前記沈殿槽は、前記第一の切換入水口に接続される高水位オーバーフロー口と、前記第二の切換入水口に接続される低水位オーバーフロー口とが形成されており、
前記渦流制御手段は、前記低水位オーバーフロー口と前記第二の切換入水口との間の導水路に電磁弁を備えていることを特徴とするバイオアッセイ用水槽システム。
【請求項５】
請求項１乃至４のいずれか一項に記載のバイオアッセイ用水槽システムにおいて、
前記監視槽は低光反射性を呈することを特徴とするバイオアッセイ用水槽システム。
【請求項６】
請求項１乃至５のいずれか一項に記載のバイオアッセイ用水槽システムと、
前記監視槽を上方から撮影するカメラ装置と、前記カメラ装置の撮影範囲を照明するＬＥＤランプとを暗箱に収容してなることを特徴とするバイオアッセイ装置。
【請求項７】
請求項１乃至５のいずれか一項に記載のバイオアッセイ用水槽システムを制御するためのコンピュータ用プログラムであって、
前記監視槽に汚物が一定以上蓄積したときに、前記渦流制御手段によって渦流を反転させる処理を実行することを特徴とするコンピュータ用プログラム。
【発明の詳細な説明】
【技術分野】
【０００１】
本発明は、水源から常時給水される水槽に放たれた小型魚類の状態を監視して水質を判断するバイオアッセイ用の水槽システム、同水槽システムを用いたバイオアッセイ装置及び同水槽システムを制御するコンピュータ用プログラムに関するものである。
【背景技術】
【０００２】
従来、河川、貯水池、ダム等の水源の水質を監視する方法としては化学試薬等を用いる検査法が一般的である。しかしながら試薬で検出できる有害物質は限られており、試薬の取扱い等に専門知識も必要とされるから、この方法で日常的に水質を監視するには種々の問題があった。【０００３】
これに対して近時、より簡単かつ多様な有害物質を検出可能な方法として、ヒメダカ等の小型魚類を用いるバイオアッセイが注目されている。バイオアッセイでは水源から採取した水を入れた水槽中の魚類の状態を監視するものである。例えばＯＥＣＤテストガイドライン２０３に定められた魚類急性毒性試験の方法では、水系食物連鎖における高次消費者である魚類を対象とし、被験物質に９６時間暴露した際の魚類に及ぼす影響として最低７匹の魚類から死亡数を測定し、半数致死濃度ＬＣ５０を求めるようになっている。これに類似した方法で魚類を継続的に監視する場合、魚類を維持するために水槽から餌の残滓や排泄物等の汚物を定期的に取り除く必要がある。そのような汚物の除去に着目した従来技術として例えば次の特許文献等がある。【０００４】
特許文献１、２には、排水口側水深が流入口側水深よりも深くなるように底面を傾斜させて排水口からの汚物の排出を促すようにした水槽が記載されている。また特許文献３には水槽の底面に沈殿槽を設け、エアーリフトポンプによって沈殿槽から吸い上げた水を入水槽に戻すようにした水槽が記載されている。
【先行技術文献】
【特許文献】
【０００５】
【特許文献１】特開２００２−２５７８１５号公報
【特許文献２】特開２００３−１３９７６４号公報
【特許文献３】特開２０１１−１９１１０１号公報
【発明の概要】
【発明が解決しようとする課題】
【０００６】
しかしながら前記特許文献１乃至３に記載されているような水槽の構成では、水流の強い領域、すなわち特許文献１、２では流入口と排水口とを結ぶ直線近傍、特許文献３では沈殿槽近傍からは汚物が効果的に除去されるが、他の領域は汚物が残りやすいという問題があった。本発明はこのような問題に着目してなされたものであり、監視槽全体から水流によって汚物を除去できるバイオアッセイ用水槽、バイオアッセイ装置、コンピュータ用プログラムを提供することを目的としている。
【課題を解決するための手段】
【０００７】
本発明によるバイオアッセイ用水槽システムは、給水吐出によって槽内に一方向、逆方向の渦流を生じさせる第一、第二の切換入水口が対向する二側面の一方側に設けられ、出水口が前記二側面の他方側に設けられ、底面が前記二側面の一方側から他方側に向けて下方に傾斜している監視槽と、前記第一、第二の切換入水口から選択的に給水吐出させることで前記渦流を定期的に反転させる渦流制御手段と、排水口が設けられ前記出水口に接続された汚物槽とを備えることを特徴とする。【０００８】
また本発明によるバイオアッセイ装置は、前記バイオアッセイ用水槽システムと、前記監視槽を上方から撮影するカメラ装置と、前記カメラ装置の撮影範囲を照明するＬＥＤランプとを暗箱に収容してなることを特徴とする。【０００９】
また本発明によるコンピュータ用プログラムは、バイオアッセイ用水槽システムを制御するためのコンピュータ用プログラムであって、前記監視槽に汚物が一定以上蓄積したときに、前記渦流制御手段によって渦流の反転させる処理を実行することを特徴とする。
【発明の効果】
【００１０】
本発明では、監視槽内の渦流を定期的に反転させるので、水流によって監視槽全体から汚物を除去できる。
【図面の簡単な説明】
【００１１】
【図１】実施形態の一例であるバイオアッセイ用水槽システムの基本構成を示す斜視図である。
【図２】（ａ）、（ｂ）は図１に示した水槽システムの監視状態、清掃状態を示す平面図である。
【図３】渦流制御手段の基本的制御の一例を示すフローチャートである。
【図４】（ａ）、（ｂ）は水槽システムの変形例の監視状態、清掃状態を示す斜視図である。
【図５】実施形態の他例であるバイオアッセイ用水槽システムの監視状態を示す斜視図である。
【図６】図５に示した水槽システムの清掃状態を示す斜視図である。
【図７】図５に示した水槽システムを用いて構成されたバイオアッセイ装置の一例を示す斜視図である。
【発明を実施するための形態】
【００１２】
図１は、実施形態の一例であるバイオアッセイ用水槽システムの基本構成を示している。図示のように水槽システム１は、小型魚類を維持監視する監視槽１０と、監視槽１０に連通されて餌の残滓や排泄物等の汚物を集積する汚物槽１１と、監視槽１０に一方向、逆方向の渦流を選択的に生じさせる渦流制御手段１２とからなる。監視対象とする小型魚類は例えばヒメダカ（体長２．５センチメートル以上）を想定している。
【００１３】
監視槽１０は、アクリル、ウレタンあるいはＡＢＳ等の樹脂、ガラス又は金属からなる矩形乃至楕円型の容器であり、一体形成であっても複数の板材を接合したものでもよい。監視槽１０は、給水吐出によって槽内に一方向、逆方向の渦流を生じさせる第一、第二の切換入水口１３、１４が対向する二側面の一方側に設けられ、出水口１５がその二側面の他方側の底辺部に設けられている。出水口１５は単独であっても複数であってもよいし、その開口形状に特段の制限はない。監視槽１０の底面は前記二側面の一方側から他方側に向けて下方に傾斜している。第一、第二の切換入水口１３、１４、出水口１５には魚類の通過を許容しないネットが設けられている。監視槽１０の四隅のコーナー部は滑らかな曲面に形成されている。ここでは監視槽１０に小型魚類を７匹〜１５匹程維持することを想定しており、そのため監視槽１０の寸法としては例えば広さ２０×３０センチ四方〜２５×３５センチ四方、深さ４センチ〜５センチ程度とすればよい。このとき底面の傾斜の高低差は１センチ程度にすればよい。なお監視槽１０の形状、寸法はこれに限られず魚類の大きさや固体数に合わせて自由に選択すればよい。
【００１４】
汚物槽１１も、アクリル、ウレタンあるいはＡＢＳ等の樹脂、ガラス又は金属からなる桶状の容器であって、出水口１５によって監視槽１０に連設されている。汚物槽１１は監視槽１０と同等以上の深さにするとよいが形状や寸法は特に制限はない。汚物槽１１には排水口１６が設けられており、排水口１６のオーバーフローによって監視槽１０及び汚物槽１１の水面が規定される。
【００１５】
渦流制御手段１２は、第一、第二の切換入水口１３、１４から選択的に給水吐出させることで監視槽１０内の渦流を定期的に反転させるように構成される。具体的な形状や構成は特に限定されないが、例えば監視槽１０と、監視槽１０よりも高位に配置したタンク等を通水路で接続し、その途中に給水を制御するための二方弁、三方弁等を設けてもよいし、監視槽１０とタンク等を接続する通水路にそれぞれポンプを設けて選択的に作動させてもよい（図示なし）。
【００１６】
監視槽１０の底面の中央部に円柱状の渦流安定柱１７が立設されている。したがって第一又は第二の切換入水口１３、１４のいずれか一方から給水を連続的に吐出させると、第一又は第二の切換入水口に対応して渦流安定柱１７を中心とした時計回り又は反時計回りの渦流が安定的に形成させる。また監視槽１０の各コーナー部が滑らかな曲面（円筒面）になっているため、水がこの部分で滞留せず乱流も生じない。
【００１７】
監視槽１０は渦流安定柱１７から周壁に向けて死魚捕集ネット１８が設けられている。死魚捕集ネット１８は魚類の縦面積よりも広く、かつ横面積よりも狭い網目寸法が選択されている。そのため魚類の遊泳通過は許容するが、死魚、行動不能魚は横向きになって引っかかる。これにより魚類を監視する際、死魚、行動不能魚を位置に基づいて識別することが可能になる。なお死魚捕集ネット１８の配置は、第一又は第二の切換入水口１３、１４からの給水によって水流が生じる場所、例えば図示の場所等を選択するとよい。
【００１８】
監視槽１０における魚類の状態から水源の水質を判断するには、監視槽１０の水質を水源に略等しい状態に保つ必要がある。そのため監視槽１０への給水量は１リットル／分〜２リットル／分程度に設定するとよい。
【００１９】
次いで前記水槽システムの運用形態を、図２（ａ）、（ｂ）に従って説明する。図１と共通する要素には同一の参照符号を付けている。なお水流は破線によって示している。
【００２０】
図２（ａ）は魚類を監視する監視状態であり、渦流制御手段１２は第一の切換入水口１３から給水吐出させており、その結果、監視槽１０に時計回りの渦流が形成されている。魚類は基本的に水流の上流方向に向けて遊泳する。特にヒメダカは強い水流を好まないから、流れの弱い領域にいる個体数が多くなる傾向がある。また死魚は水流によって死魚捕集ネット１８まで流されてそこで捕集される。
【００２１】
図２（ａ）に示すように監視槽１０に時計回りの渦流が形成されると、領域Ａ１では、水流の方向と底面が下方に傾斜する方向とが同じになるので、汚物が出水口１５を通じて汚物槽１１に自然に流し出されて清潔な状態に保たれる。しかしながら領域Ａ２では水流の方向と底面が下方に傾斜する方向とが逆になるので、汚物が汚物槽１１に流し出されず監視槽１０に残りやすい。本実施形態は、こうして領域Ａ２に残った汚物を、監視槽１０の渦流の方向を反転させることで、汚物槽１１に流し出そうというものである。
【００２２】
図２（ｂ）は監視槽を清掃するための渦流が反転された清掃状態であり、渦流制御手段１２は第二の切換入水口１４から給水吐出させている。渦流制御手段１２は、前記監視状態としたまま所定時間が経過すると、この清掃状態に一時的に切り換えるとよい（例えば１日に１０分程）。清掃状態になると、領域Ａ２では水流の方向と底面が下方に傾斜する方向とが同じになるので、監視状態から残っていた汚物を汚物槽１１に流し出すことができる。なお汚物槽１１に集積された汚物はスポイト等によって適宜除去すればよい。
【００２３】
このように監視槽１０内の渦流を定期的に反転させれば、水流によって監視槽１０全体から汚物を除去できる。そのため長期間、監視槽１０を手作業で清掃せずに済み、魚類のストレスも減らすことができる。また清掃状態であっても魚類を継続して監視できる。なお第一、第二の切換入水口１３、１４の切換は自動制御であっても手動制御で行ってもよい。
【００２４】
あるいは監視槽１０に時計回りの渦流を形成する状態と、監視槽１０に反時計回りの渦流を形成する状態とを、例えば午前中は第一の状態、午後は第二の状態というように、一定時間毎に交互に切り換えてもよい。そうした場合でも同様の効果が得られる。
【００２５】
なお監視槽１０の第一、第二の切換入水口１３、１４が設けられた隔壁、出水口１５が設けられた隔壁は取外し可能な構成としておけば、本格的な清掃作業が簡単に行えるようになる。
【００２６】
図３は前記のように第一、第二の切換入水口を定期的に切り換えるための渦流制御手段の基本的な自動制御の一例を示すフローチャートである。すなわち水槽システムを制御するコンピュータ用プログラムは、このような自動制御によって、監視槽に汚物が一定以上蓄積したときに、渦流制御手段によって渦流を反転させる処理を実行する。監視槽への汚物の蓄積量は時間経過から予測判断であってもよいし、センサ等によってリアルタイムに検知したものでもよい。ここでは簡単な例として２４時間で汚物が一定量蓄積すると想定して、２４時間毎に渦流を反転させている。
【００２７】
フローチャートのステップ１００〜１０２は時刻等の設定操作を予め受け付ける処理である。具体的にはステップ１００は現在時刻の設定操作を受け付けている（例えば１０：００）。ステップ１０１は清掃開始時刻の設定操作を受け付けている（例えば２３：４５）。ステップ１０２は清掃終了時刻の設定操作を受け付けている（例えば２３：５５）。
【００２８】
ステップ１０３〜１０６は、前記時刻等の設定に基づいた自動制御処理である。具体的にはステップ１０３は第一の切換入水口を選択してそこからの給水吐出を開始させている。これにより監視槽には時計回りの渦流が形成される。ステップ１０４は清掃開始時刻になるまで待機する処理である。ステップ１０５は第二の切換入水口を選択してそこからの給水吐出を開始させている。これにより監視槽には反時計回りの渦流が形成される。ステップ１０６は清掃終了時刻になるまで待機する処理である。清掃終了時刻になればステップ１０３に戻って同様の自動制御処理を繰り返すようになっている。このような制御手順によれば、毎日の決まった時刻に一定時間（例えば２３：４５〜２３：５５）だけ監視槽の渦流を反転させて監視槽を自動的に清掃することが可能である。
【００２９】
図４（ａ）、（ｂ）は前記水槽システムの変形例の監視状態、清掃状態を示す斜視図である。図１と共通する要素には同一の参照符号を付けておりその説明は省略する。この変形例は、第一、第二の切換入水口１３、１４を偏向自在なエルボ１３Ａによって共通化している点、円錐状の渦流安定柱１７を備えた点に特徴がある。
【００３０】
すなわち図４（ａ）に示す監視状態では、エルボ１３Ａは出水口１５の左側に向けて偏向されており、そのため監視槽１０には時計回りの渦流が生じている。一方図４（ｂ）に示す清掃状態では、エルボ１３Ａは出水口１５の右側に向けて偏向されており、そのため監視槽１０には反時計回りの渦流が生じている。第一、第二の切換入水口１３、１４をこのような構成とすれば、渦流制御手段はエルボ１３Ａを回動させるモータ装置Ｍ等で簡単に構成できる。また円錐状の渦流安定柱１７を採用すれば、底面付近の渦流の流路が狭くなって流速が高くなり、その結果、汚物を汚物槽１１に効率的に流し出せ、またヒメダカ等の強い水流を好まない魚類は流れの弱い水面近くを遊泳することになるので監視も容易になる。
【００３１】
図５、図６は実施形態の他例とされるバイオアッセイ用水槽システムを示す斜視図である。図４、図５は同一の水槽システムであるが、前者は監視状態とし、後者は清掃状態としている。なお図１と共通する要素には同一の参照符号を付けておりその説明は省略する。
【００３２】
この実施形態は、給水前の水から異物を沈澱除去させる沈殿槽１９を備えている点、および渦流制御手段１２の構成に特徴がある。
【００３３】
沈殿槽１９は、アクリル、ウレタンあるいはＡＢＳ等の樹脂、ガラス又は金属からなる四槽式である。図示のように沈殿槽１９は、監視槽１０と一体に形成されているが、別体であってもよく、その形状や寸法は特に制限されない。沈殿槽１９の第一槽１９ａの上端部には水源からポンプ等（図示なし）によって輸送されてくる原水を導入する導水口２６が形成されている。原水が導水口２６から第一槽１９ａの水面に落下する際に生じる気泡によって魚類のための充分なエアレーションがなされる。第一槽１９ａと第二槽１９ｂとはその間の区分壁の底辺部で連通され、第二槽１９ｂと第三槽１９ｃとの間の区分壁は高さが若干低くして原水がオーバーフローして乗り越えるようになっている。第三槽１９ｃと第四槽１９ｄとはその間の区分壁の底辺部で連通されている。第四槽１９ｄの上部には、第一の切換入水口１３に接続される高水位オーバーフロー口２０と、第二の切換入水口１４に接続される低水位オーバーフロー口２１とが形成されている。このように多槽式の沈殿槽１９を用いれば、監視槽１０に給水される前の水から沈澱性及び浮遊性の異物を効果的に除去できるので監視槽１０が清浄に保たれ、魚類の監視が異物によって妨げられるおそれもなくなる。
【００３４】
第一、第二の切換入水口１３、１４と、高水位、低水位オーバーフロー口２０、２１とを接続する通水路２２、２３は例えば塩ビ管あるいはＰＶ管等で構成できる。このとき渦流制御手段１２は、例えば電磁弁２４等によって通水路２３を開閉する構成とすればよい。
【００３５】
渦流制御を簡単に説明すれば、監視状態では渦流制御手段１２が通水路２３を閉ざしており、そのため図５に示すように第四槽１９ｄの水面（破線参照）は高くなって、高水位オーバーフロー口２０からオーバーフローした給水が通水路２２を通じて第一の切換入水口１３から吐出される。これにより監視槽１０に時計回りの渦流が生じる。一方清掃状態では渦流制御手段１２が通水路２３を開いており、そのため低水位オーバーフロー口２１のオーバーフローによって第四槽１９ｄの水面（破線参照）が図６に示すように低くなり、その結果、高水位オーバーフロー口２０からのオーバーフローは止まり、低水位オーバーフロー口２１からオーバーフローした給水が通水路２３を通じて第二の切換入水口１４から吐出されるようになる。これにより監視槽１０には反時計回りの渦流が生じる。このように沈殿槽１９と監視槽１０との高低差を利用して第一、第二の切換入水口１３、１４から給水を吐出させる仕組みとすれば、給水吐出用のポンプ等を必要としないのでコストが抑えられる。また電磁弁２４だけで第一、第二の切換入水口１３、１４を選択して渦流を反転できるので、渦流制御も容易である。
【００３６】
汚物槽１１は複数の排水口１６、１６が設けられている。排水口１６、１６は高さの異なるオーバーフロー排水口として、その時間当りの最大排水量を監視槽１０の水位に応じて可変させてもよい。また汚物槽１１は監視槽１０の最低水位に対応した隔壁によって、出水口１５に近い区画１１ａと遠い区画１１ｂとを仕切るとよい。このとき区画１１ｂにはサンプル水採取口２５等が好適に設けられる。なぜならサンプル水採取口２５をたとえ誤って開放しても監視槽１０の水位が下がり過ぎる等の問題が生じないからである。サンプル水採取口２５は図示しない電磁弁等を介してサンプル水タンクに接続するとよい。なお監視槽１０、汚物槽１１、沈殿槽１９から外側へのオーバーフローを防止するため、導水口２６から導水する原水の時間当りの導水量は、第一、第二の切換入水口１３、１４からの給水の時間当りの最大吐出量、排水口１６、１６からの最大排水量よりも低く抑えておく必要がある。
【００３７】
図７は、図５、６に示した水槽システムを用いて構成したバイオアッセイ装置の一例を示している。
【００３８】
バイオアッセイ装置２は、前面扉３０ａ、３０ａ等によって開閉自在な暗箱３０に水槽システム１等を収容した基本構成としている。具体的には暗箱３０の上段に制御装置３１を収容し、中段に水槽システム１を収容し、下段にサンプル水タンク３２や、原水供給ポンプ（図示なし）、熱交換器（図示なし）等を収容している。また監視槽１０を撮影するカメラ装置３３と、カメラ装置３３の撮影範囲を照明するＬＥＤランプ３４と、自動給餌装置（図示なし）とを監視槽１０の上方に配置している。更に、水温が高いときに冷却風を監視槽１０の水面に吹き付けるファン装置等（図示なし）を設けてもよい。撮影用の照明にＬＥＤランプ３４を用いれば省エネであり、監視槽１０の水温上昇も抑えられる。またＬＥＤランプは基本的に光を一方向に照射するので、監視槽１０のみを照明できる。
【００３９】
水槽システム１の全体を、低光反射性を呈するように形成すれば、ＬＥＤランプ３４の照射した光の反射が抑えられ、藻類や植物性プランクトン等の発生、増殖が抑えられる。具体的には監視槽１０、汚物槽１１、沈殿槽１９を低光反射性樹脂で形成してもよい。あるいは監視槽１０、汚物槽１１、沈殿槽１９の表面に低光反射性塗料を塗布してもよい。少なくともＬＥＤランプ３４によって照明される監視槽１０の内面を低光反射性とすれば、藻類や植物性プランクトン等の発生、増殖を抑える効果は得られる。低光反射性樹脂又は塗料は艶消し黒色が望ましいが、濃紺色等としてもよい。また沈殿槽１９の上面に蓋を被せるようにすれば、その遮光によって沈殿槽１９内の藻類等の発生を完全に防止できる。藻類の除去作業は大変な作業であるが、このようにすればその作業の頻度が大幅に抑えられる。また監視槽１０の内面が黒色であれば、水が汚濁しているときでもカメラ装置３３の撮影映像に対する画像処理が可能になり、魚類の監視を継続できる。
【００４０】
バイオアッセイ装置２の制御はコンピュータによって略自動化されている。すなわち制御装置３１は所定の制御プログラムを実行するコンピュータ基板を備えており、渦流制御手段１２を構成する電磁弁や原水供給ポンプ、自動給餌装置等を駆動制御する。また温度センサによって監視槽１０の水温を監視して熱交換器、ファン等を制御して適温（例えば２１〜２５度）に保つ。またカメラ装置３３、ＬＥＤランプ３４を作動させ、その撮影映像に所定の画像処理を施して魚類の個体数等の履歴を蓄積し、水質異常を判断すれば警報音を鳴動させ外部装置に移報する等の異常報知を行う。そして例えば７２時間以内に魚類の半数が死亡する等の異常が生じたときには監視槽１０からサンプル水を採取してサンプル水タンク３２に保存する処理等も行う。
【符号の簡単な説明】
【００４１】
１      バイオアッセイ用水槽システム
２      バイオアッセイ装置
１０    監視槽
１１    汚物槽
１２    渦流制御手段
１３    第一の切換入水口
１４    第二の切換入水口
１５    出水口
１６    排水口
１７    渦流安定柱
１９    沈殿槽
２０    高水位オーバーフロー口
２１    低水位オーバーフロー口
２２    導水路
２３    導水路
３０    暗箱
３３    カメラ装置
３４    ＬＥＤランプ
【要約】
水流によって監視槽全体から汚物が効率的に除去されるバイオアッセイ用水槽を提供する。給水吐出によって槽内に一方向、逆方向の渦流を生じさせる第一、第二の切換入水口１３、１４が対向する二側面の一方側に設けられ、出水口１５が前記二側面の他方側に設けられ、底面が前記二側面の一方側から他方側に向けて下方に傾斜している監視槽１０と、第一、第二の切換入水口１３、１４から選択的に給水吐出させることで前記渦流を定期的に反転させる渦流制御手段１２と、排水口１６が設けられ出水口１５に接続された汚物槽１１とを備える。【図１】
0005987257.tif 000002
【図２】
0005987257.tif 000003
【図３】
0005987257.tif 000004
【図４】
0005987257.tif 000005
【図５】
0005987257.tif 000006
【図６】
0005987257.tif 000007
【図７】
0005987257.tif 000008